(57)【要約】      （修正有）【課題】ムービングプレートを正規の姿勢に矯正する。【解決手段】フード部１４を有する雄側コネクタ１０と、フード部１４内に嵌合される雌側コネクタと、雄端子金具をフード部１４内にて位置決めするムービングプレートとを備え、ムービングプレートは、板状のプレート本体部４２と、プレート本体部４２の周縁から立ち上がる周壁部とを備え、プレート本体部４２は、雌側コネクタとともにフード部１４の奥側に移動するコネクタであって、周壁部は、板状の壁部によって略角筒状に形成され、壁部の外面において壁部の開口縁の中央部と対応する位置に規制突部４８が設けられ、フード部において壁部の外面と対面する位置に、規制突部４８と係止することにより周壁部を正規の姿勢に矯正する係止縁部２１が設けられている構成としたところに特徴を有する。【選択図】図６
2010146932.tif 000002
【特許請求の範囲】
【請求項１】
筒状のフード部を有する雄側ハウジングと、前方から前記フード部内に嵌合される雌側ハウジングと、前記雄側ハウジング内に収容された雄端子金具を前記フード部内にて位置決めするムービングプレートとを備え、
前記ムービングプレートは、位置決め孔を有し板状のプレート本体部と、前記フード部の内周面に沿って前記プレート本体部の周縁から立ち上がる周壁部とを備え、前記プレート本体部は、前記雌側ハウジングとともに前記フード部の奥側に移動するコネクタであって、
前記周壁部は、板状の壁部によって略角筒状に形成され、前記壁部の外面において開口縁の中央部と対応する位置に係止部が設けられ、
前記フード部において前記壁部の外面と対面する位置に、前記係止部と係止することにより前記周壁部を正規の姿勢に矯正する被係止部が設けられていることを特徴とするコネクタ。
【請求項２】
前記係止部は、前記壁部の外面と対向して配置された一対の突部を有し、前記両突部は、前記壁部の外面に沿ってそれぞれ反対方向に突出している請求項１に記載のコネクタ。
【請求項３】
前記両突部は、前記両突部間を通る軸線を基準として非対称となるように配置されている請求項２に記載のコネクタ。
【請求項４】
前記壁部の外面に、前記開口縁の中央部に開口する一対の導入溝が設けられ、前記導入溝を構成する両側壁から前記両突部がそれぞれ突出して設けられている請求項２または請求項３に記載のコネクタ。
【発明の詳細な説明】
【技術分野】
【０００１】
本発明は、コネクタに関する。
【背景技術】
【０００２】
従来、ムービングプレートを備えたコネクタとして、例えば下記特許文献１に記載のコネクタが知られている。このコネクタは、筒状のフード部を有する雄側コネクタと、前方からフード部内に嵌合される雌側コネクタと、端子の位置決めを行うムービングプレートとを備えている。ムービングプレートは、フード部内にて前後方向に移動可能に収容されている。ムービングプレートは、複数の位置決め孔を有する板状のプレート本体部と、フード部の内周面に沿ってプレート本体部の周縁から立ち上がる周壁部とを備えている。
【特許文献１】特開平１１−６７３３８号公報
【発明の開示】
【発明が解決しようとする課題】
【０００３】
しかしながら、ムービングプレートは、樹脂成形品であり、図１５に示すように、成形過程で周壁部１が内側に凹んだ不正な姿勢になる場合がある。このようにムービングプレートが不正な姿勢のまま、ムービングプレートをフード部２内に収容すると、周壁部１の外面とこれに対面するフード部２の内面との間に隙間３が形成されてしまう。
【０００４】
本発明は上記のような事情に基づいて完成されたものであって、ムービングプレートを正規の姿勢に矯正することを目的とする。
【課題を解決するための手段】
【０００５】
本発明は、筒状のフード部を有する雄側ハウジングと、前方からフード部内に嵌合される雌側ハウジングと、雄側ハウジング内に収容された雄端子金具をフード部内にて位置決めするムービングプレートとを備え、ムービングプレートは、位置決め孔を有し板状のプレート本体部と、フード部の内周面に沿ってプレート本体部の周縁から立ち上がる周壁部とを備え、プレート本体部は、雌側ハウジングとともにフード部の奥側に移動するコネクタであって、周壁部は、板状の壁部によって略角筒状に形成され、壁部の外面において壁部の開口縁の中央部と対応する位置に係止部が設けられ、フード部において壁部の外面と対面する位置に、係止部と係止することにより周壁部を正規の姿勢に矯正する被係止部が設けられている構成としたところに特徴を有する。
【０００６】
このような構成によると、ムービングプレートの周壁部が正規の姿勢に対して変形して成形された場合であっても、係止部を被係止部に係止させることにより、周壁部を正規の姿勢に矯正することができる。このため、例えば周壁部が内側に凹んで形成されていた場合に、両ハウジングの嵌合の際に、雌側ハウジングの嵌合面が周壁部の開口縁と干渉することがない。
【０００７】
本発明の実施の態様として、以下の構成が好ましい。
係止部は、壁部の外面と対向して配置された一対の突部を有し、両突部は、壁部の外面に沿ってそれぞれ反対方向に突出している構成としてもよい。
このような構成によると、両突部と壁部の外面との間に被係止部が配置されるようにして係止部と被係止部を係止させることができる。
【０００８】
両突部は、両突部間を通る軸線を基準として非対称となるように配置されている構成としてもよい。
このような構成によると、ムービングプレートをフード部内に誤って組み付けることが規制され、正しく組み付けることができる。
【０００９】
壁部の外面に、開口縁の中央部に開口する一対の導入溝が設けられ、導入溝を構成する両側壁から両突部がそれぞれ突出して設けられている構成としてもよい。
このような構成によると、導入溝の両側壁を利用して両突部を形成することができる。
【発明の効果】
【００１０】
本発明によれば、ムービングプレートを正規の姿勢に矯正することができる。
【発明を実施するための最良の形態】
【００１１】
＜実施形態１＞
本発明の実施形態１を図１ないし図１４の図面を参照しながら説明する。本実施形態のコネクタは、図１に示すように、レバー８０の回動操作に基づいて互いに嵌合可能とされる雄側コネクタ１０および雌側コネクタ６０と、雄側コネクタ１０に装着されるムービングプレート４０とを備える。なお、以下の説明において前後方向については、両コネクタ１０，６０の嵌合面側を前方とする。
【００１２】
雌側コネクタ６０は、図４に示すように、複数の雌側サブコネクタ６１を合成樹脂製の雌側フレーム６２に組み付けた構成とされている。各雌側サブコネクタ６１は、合成樹脂製の雌側サブハウジング６３を有している。本発明でいう雌側ハウジングは、雌側フレーム６２と複数の雌側サブハウジング６３とから構成されている。この雌側ハウジングは、全体として略方形のブロック状をなしており、略正方形の嵌合面を有している。
【００１３】
雌側フレーム６２の内部には、雌側サブコネクタ６１を収容可能な雌側サブコネクタ収容部６４が前後方向に貫通して形成されている。雌側サブハウジング６３の外面には、ロック受部６３Ａが設けられている。一方、雌側サブコネクタ収容部６４の内部には、ロック受部６３Ａに係止して雌側サブコネクタ６１を抜け止め状態に保持するロック部６４Ａが設けられている。
【００１４】
これにより、後方から雌側サブコネクタ収容部６４の内部に雌側サブコネクタ６１が図４に示す正規の挿入位置に挿入されると、ロック部６４Ａがロック受部６３Ａに係止することによって雌側サブコネクタ６１が雌側サブコネクタ収容部６４の内部において後方に抜け止めされた状態で収容される。
【００１５】
雌側サブコネクタ６１の内部には、図７に示すように、雌端子金具７０を収容するキャビティ６５が高さ方向（図７における上下方向）に並んで配置されている。キャビティ６５は、雌側サブハウジング６３を前後方向に貫通して形成されている。雌端子金具７０は、図４に示すように、ランス６４Ｂおよびリテーナ６９によってキャビティ６５の内部で後方に抜け止めされた状態で収容されている。
【００１６】
雌側フレーム６２の嵌合面（前面）において各雌側サブコネクタ６１間には、図７に示すように、凹部６６が形成されている。この凹部６６は、各雌側サブコネクタ６１の嵌合面より一段低くなるように凹み形成されている。この凹部６６には、後述するように、両コネクタ１０，６０の嵌合時に、ムービングプレート４０に設けられた保護壁４１が進入するようになっている。
【００１７】
雌側フレーム６２の両側面には、図７に示すように、高さ方向略中央部に、前後方向に延びた断面長円形をなす一対の第１カムピン６７が突設されている。また、両第１カムピン６７の下方には、前後方向に延びた一対のガイドリブ６８が形成されている。両ガイドリブ６８によって両コネクタ１０，６０の嵌合の案内がなされるとともに、両コネクタ１０，６０の誤嵌合が防止される。
【００１８】
雄側コネクタ１０は、図４に示すように、複数の雄側サブコネクタ１１を合成樹脂製の雄側フレーム１２に組み付けた構成とされている。各雄側サブコネクタ１１は、合成樹脂製の雄側サブハウジング１３を有している。本発明でいう雄側ハウジングは、雄側フレーム１２と複数の雄側サブハウジング１３とから構成されている。
【００１９】
雄側フレーム１２において雄側サブハウジング１３より前方に突出するようにして、略角筒状のフード部１４が形成されている。フード部１４は、複数の雄側サブハウジング１３によって構成される嵌合面の周縁から前方に突出している。フード部１４は、略正方形の間口を有している。フード部１４の内部には、ムービングプレート４０が前後方向に移動可能に収容されている。
【００２０】
雄側フレーム１２の内部には、雄側サブコネクタ１１を収容可能な雄側サブコネクタ収容部１６が前後方向に貫通して形成されている。雄側サブハウジング１３の外面には、ロック受部１３Ａが設けられている。一方、雄側サブコネクタ収容部１６の内部には、ロック受部１３Ａに係止して雄側サブコネクタ１１を抜け止め状態に保持するロック部１６Ａが設けられている。
【００２１】
これにより、後方から雄側サブコネクタ収容部１６の内部に雄側サブコネクタ１１が図６に示す正規の挿入位置に挿入されると、ロック部１６Ａがロック受部１３Ａに係止することによって雄側サブコネクタ１１が雄側サブコネクタ収容部１６の内部において後方に抜け止めされた状態で収容される。
【００２２】
雄側サブコネクタ１１の内部には、図１２に示すように、雄端子金具２０を収容するキャビティ１５が高さ方向に並んで配置されている。キャビティ１５は、図４に示すように、雄側サブハウジング１３を前後方向に貫通して形成されている。雄端子金具２０は、ランス１６Ｂおよびリテーナ１７によってキャビティ１５の内部で後方に抜け止めされた状態で収容されている。両コネクタ１０，６０を嵌合させると、両端子金具２０，７０が電気的に接続される。
【００２３】
雄側フレーム１２の両側面には、高さ方向略中央部に、レバー８０を支持する一対の支持軸１８が突設されている。また、雄側フレーム１２の両側面には、図１に示すように、フード部１４の前端開口縁から支持軸１８に向けて直線状に切り欠いた一対の逃がし溝１９が凹み形成されている。両コネクタ１０，６０の嵌合時には、逃がし溝１９に第１カムピン６７が進入するようになっている。
【００２４】
レバー８０は合成樹脂製であって、図６に示すように、左右一対の板状をなすアーム部８１と、両アーム部８１を連結する操作部８２とからなり、全体として門形に形成されている。アーム部８１には、図１に示すように、支持軸１８を受ける軸受孔８３が形成されている。レバー８０は、その軸受孔８３に支持軸１８を嵌合させることで、その嵌合位置を中心として、アーム部８１が高さ方向に切り立つ待機位置（図１におけるレバー８０の位置）と、アーム部８１が雌側コネクタ６０の両側面外方を横切って操作部８２が雌側コネクタ６０の後方に回り込む嵌合位置（図３におけるレバー８０の位置）との間で、回動可能となっている。雌側コネクタ６０の後面には、嵌合位置におけるレバー８０の操作部８２と係止するレバー係止部６０Ａが後方に突出して設けられている。また、アーム部８１の内面には、軸受孔８３を中心とする弧状のカム溝８４がアーム部８１の周縁に開口して形成されている。
【００２５】
ムービングプレート４０は合成樹脂製の樹脂成形品であって、フード部１４内に配置され、各雄端子金具２０を正規の位置に位置決めする役割を担っている。ムービングプレート４０は、板状をなす複数の壁部によって構成される略角筒状をなし、フード部１４内にて前後方向への移動が可能である。ムービングプレート４０は、図８に示すように、その移動方向と略直角な板状をなす略方形のプレート本体部４２と、プレート本体部４２の周縁から前方に突出する略角筒状の周壁部４３とを備えてなる。両コネクタ１０，６０の嵌合時、周壁部４３の外周面がフード部１４の内周面に摺接可能に移動するようになっている。そして、周壁部４３の内面には、図６に示すように、両ガイドリブ６８と対応する位置に、一対の切り欠き４４が形成されている。フード部１４の内面のうち両切り欠き４４と対応する位置には、ガイドリブ６８を受け入れる一対の受け溝１４Ａが凹み形成されている。
【００２６】
周壁部４３の両側面には、図１０に示すように、高さ方向略中央部に、前後方向に延びて周壁部４３の前端縁に開口する一対の導入溝４５が第１カムピン６７を受け入れ可能に形成されている。そして、周壁部４３の両側面には、図９に示すように、第２カムピン４６が導入溝４５を跨ぐようにして外方に突出して形成されている。第２カムピン４６は、前方から見ると略門形をなし、その内側に第１カムピン６７を嵌合可能としている。第２カムピン４６は、その内側へ第１カムピン６７が入ってきたときに、両コネクタ１０，６０の嵌合完了に至るまでの間、第１カムピン６７と合体した状態でレバー８０のカム溝８４に係合される。これにより、レバー８０の回動操作により、雌側コネクタ６０とムービングプレート４０が一体となって移動するようになっている。
【００２７】
また、プレート本体部４２には、各雄端子金具２０を挿通する位置決め孔４７が整列して貫通形成されている。位置決め孔４７は、詳細には図１１に示すように、プレート本体部４２の後面にラッパ状に拡開されることで各雄端子金具２０の誘い込みをなす一方、プレート本体部４２の前面に窄み状態で開口されることで各雄端子金具２０の位置決めを保障している。ムービングプレート４０は、両コネクタ１０，６０の嵌合時、プレート本体部４２が各雄側サブコネクタ１１の前面より浮いた状態となる初期の組付け位置（以下、初期位置）からプレート本体部４２が各雄側サブコネクタ１１の前面に当接する嵌合完了時の位置（終端位置）にかけて移動するわけであるが、その移動経路のいずれの位置にあっても、雄端子金具２０は位置決め孔４７に貫通した状態に保たれ、これによって雄端子金具２０の位置決めが確実になされる。ムービングプレート４０が初期位置にあるときに、プレート本体部４２の前面には、図４に示すように、雄端子金具２０の先端部が突出して嵌合面側に臨むようになっている。この状態で、図示しない導通検査に供される。なお、フード部１４内における各雄端子金具２０の先端位置は前後方向について同じ位置に揃っている。
【００２８】
プレート本体部４２の前面（雌側コネクタ６０との対向面）には、図８に示すように、複数の保護壁４１が前方に突出して設けられている。これらの保護壁４１は、雌側コネクタ６０の前面（雄側コネクタ１０との嵌合面）に形成された凹部６６と対応して設けられている。すなわち、保護壁４１は、両コネクタ１０，６０の嵌合時に、各雌側サブコネクタ６１を区画するように配置される。換言すると、保護壁４１は各雄側サブコネクタ１１を区画する位置に設けられている。
【００２９】
保護壁４１は、プレート本体部４２の前面から略垂直に立ち上がる形態をなしてプレート本体部４２に連結されている。また、保護壁４１の両側縁は、周壁部４３にそれぞれ連結されている。詳細には、保護壁４１は、周壁部４３のうち第２カムピン４６が設けられていない一対の壁部間に配置されている。この結果、保護壁４１は、周壁部４３のうち第２カムピン４６が設けられている一対の壁部４３Ａとほぼ平行をなして配置される。これにより、保護壁４１は、両側縁が両壁部に連結されることでプレート本体部４２の前面に倒れることが規制されるとともに、プレート本体部４２および周壁部４３自身も、保護壁４１と一体に連結されることで剛性が高くなっている。
【００３０】
保護壁４１の前端部には、幅方向中央と幅方向両側とを切り欠くことによって３つの切欠部４１Ａが形成されている。３つの切欠部４１Ａのうち中央の切欠部４１Ａには、両コネクタ１０，６０の嵌合時に、雌側コネクタ６０のロック部６４Ａが配置されるようになっている。すなわち、同中央の切欠部４１Ａが設けられることによって、両コネクタ１０，６０の嵌合時に、保護壁４１とロック部６４Ａとの干渉が回避される。
【００３１】
また、３つの切欠部４１Ａのうち中央の切欠部４１Ａにおいては、保護壁４１の側方に張り出すようにして一対の対向壁４１Ｂが設けられている。プレート本体部４２において両対向壁４１Ｂ間に対応する位置には、図９に示すように、ロック部１６Ａの解除操作を行う解除治具を挿通させる通し孔４２Ａが貫通形成されている。したがって、ムービングプレート４０がフード部１４内に収容された状態であっても、通し孔４２Ａに解除治具を通して挿入することにより、ロック部１６Ａとロック受部１３Ａとの係止を解除することができる。このとき、解除治具は、両対向壁４１Ｂ間を通って通し孔４２Ａに挿入されるため、解除治具が雄端子金具２０に接触することが回避され、雄端子金具２０の変形などを防ぐことができる。
【００３２】
なお、保護壁４１は、図５に示すように、前方に向かうほど細くなる形状とされている。また、保護壁４１の前端の内外縁（厚み方向両端縁）は切り欠かれて面取りされている。これにより、両コネクタ１０，６０の嵌合時に、保護壁４１の両側面によって保護壁４１を凹部６６内に進入させる際の誘い込みが行われ、雌側コネクタ６０の凹部６６に保護壁４１が嵌合し、ムービングプレート４０がフード部１４内を位置決め状態で移動可能となっている。
【００３３】
ところで、図４に示すように、保護壁４１のプレート本体部４２の前面からの突出量は、位置決め孔４７から前方に突出した雄端子金具２０の先端部の突出量よりも大きくなっている。この理由は、フード部１４内にムービングプレート４０が初期位置にて収容された状態で、同フード部１４内に前方から不正姿勢をとった雌側コネクタ６０が進入してきても、雌側コネクタ６０の嵌合面における周縁部が保護壁４１の前端部に突き当たることを回避し、雄端子金具２０の損傷を防ぐためである。
【００３４】
さて、周壁部４３において左右に対向する両壁部４３Ａの外面には、図９に示すように、一対の規制突部（本発明の「係止部」の一例）４８がそれぞれ外方に突出して設けられている。両規制突部４８は、両壁部４３Ａの開口縁の中央部と対応する位置に設けられている。両規制突部４８は、両壁部４３Ａの外面と対向して配置された（周壁部４３の両側面からオーバーハング状に張り出した）一対の突部４８Ａを有し、両突部４８Ａは、壁部４３Ａの外面に沿ってそれぞれ反対方向（上下方向）に突出している。また、両突部４８Ａは、導入溝４５を構成する両側壁からそれぞれ突出して設けられている。このため、導入溝４５の両側壁を利用して両突部４８Ａを形成することができる。なお、両規制突部４８は、図１０に示すように、前後方向に延びる形態をなしている。
【００３５】
一方、フード部１４において両規制突部４８と対応する位置には、図１３に示すように、両規制突部４８と係止することにより周壁部４３を正規の姿勢に矯正する一対の係止縁部（本発明の「被係止部」の一例）２１が設けられている。両係止縁部２１は、逃がし溝１９の上下両側を構成する両側縁部のうち外側部分ををテーパ状に切り欠くようにして設けられている。両係止縁部２１は、図１４に示すように、両規制突部４８とあり溝状に嵌合可能である。これにより、両壁部４３Ａが成形過程で内側に凹んで形成された場合であっても、両規制突部４８と両係止縁部２１が嵌合することによって両壁部４３Ａを正規の姿勢に矯正することができる。したがって、両コネクタ１０，６０の嵌合時に、雌側コネクタ６０の嵌合面が周壁部４３の開口縁に干渉するなどして両コネクタ１０，６０の嵌合動作が阻害されることを規制できる。
【００３６】
なお、両突部４８Ａは、両突部４８Ａ間を通る軸線Ｃを基準として非対称となるように配置されている。このため、ムービングプレート４０をフード部１４に対して上下反転した誤った姿勢で組み付けようとした場合に、誤って組み付けることが規制され、ムービングプレート４０をフード部１４内に正しく組み付けることができる。
【００３７】
本実施形態は以上のような構成であって、続いてその作用を説明する。まず、雌側コネクタ６０と雄側コネクタ１０とを嵌合する際には、周壁部４３の外周面をフード部１４の内周面に沿わせつつ、図２に示すように、ムービングプレート４０を初期位置に留め置くとともに、レバー８０を待機位置に保持させる。このとき、ムービングプレート４０の周壁部４３が成形時のヒケなどによって内側に凹んで形成されていた場合であっても、規制突部４８の両突部４８Ａと両係止縁部２１とを係止させるようにしてムービングプレート４０をフード部１４内に組み付けることにより、両壁部４３Ａが外方に引っ張られて周壁部４３が正規の姿勢に矯正される。なお、両壁部４３Ａが外側に突出して形成されていた場合も同様であって、両壁部４３Ａを内側に撓ませつつフード部１４内に組み付けることによってムービングプレート４０を正規の姿勢の矯正することができる。
【００３８】
ムービングプレート４０をフード部１４に対して初期位置に組み付けた後、フード部１４内に前方から雌側コネクタ６０を進入させる。この場合に、図５に示すように、雌側コネクタ６０が正規姿勢をとってフード部１４内に進入すると、つまり、雌側コネクタ６０がその前面（嵌合面）を高さ方向に沿わせるようその前面を前後軸と略直角な方向に向けた状態でフード部１４内に進入すると、ムービングプレート４０内に雌側コネクタ６０が嵌入し、雌側コネクタ６０の側面が周壁部４３によって包囲されるとともに、雌側コネクタ６０の前面がプレート本体部４２の前面と対面する。この状態では、図２に示すように、第１カムピン６７がレバー８０のカム溝８４の入口に進入するとともに導入溝４５に嵌入され、第１カムピン６７と第２カムピン４６が合体した状態でカム溝８４と係合可能となる。
【００３９】
次に、レバー８０を嵌合位置側へ回動すると、第２カムピン４６とカム溝８４との係合によるカム作用により、雌側コネクタ６０がフード部１４の奥側へ引き込まれるように相対移動し、両コネクタ１０，６０が互いに接近する。このとき、プレート本体部４２の保護壁４１が雌側コネクタ６０の凹部６６に嵌入した状態となり、ムービングプレート４０が雌側コネクタ６０と一体となってフード部１４の奥側へ平行に移動する。ムービングプレート４０が移動する間、各雄端子金具２０は、位置決め孔４７を貫通したままであって正しい位置に保持され、その先端側から順次雌端子金具７０内に入り込み、雌端子金具７０側との嵌合深さを増していく。そして、ムービングプレート４０が終端位置に至ってレバー８０が嵌合位置に達すると、図３に示すように、両コネクタ１０，６０が正規嵌合状態となり、雄端子金具２０が雌端子金具７０に正規深さで嵌合して、両端子金具２０，７０が導通可能に接続される。
【００４０】
以上説明したように本実施形態によれば、次の効果を奏する。両突部４８Ａと両係止縁部２１とを係止させることによりムービングプレート４０を正規の姿勢に矯正することができる。また、両突部４８Ａが導入溝４５を構成する両側壁から反対方向に突出して設けられているから、両突部４８Ａと両係止縁部２１とをあり溝状に嵌合させることができる。また、導入溝４５の両側壁を利用して両突部４８Ａを設けたから、規制突部４８の構成を簡素化できる。また、両突部４８Ａを軸線Ｃに関して非対称となるように配置したから、ムービングプレート４０の誤組み付けを規制できる。
【００４１】
＜他の実施形態＞
本発明は上記記述及び図面によって説明した実施形態に限定されるものではなく、例えば次のような実施形態も本発明の技術的範囲に含まれる。
（１）本実施形態では、周壁部４３の左右両壁部４３Ａに両規制突部４８を設けているものの、本発明によると、周壁部４３の上下両壁部に規制突部４８を設けてもよいし、いずれか一つの壁部あるいは全ての壁部に規制突部４８を設けてもよい。
【００４２】
（２）本実施形態では、係止縁部２１を、逃がし溝１９の両側を構成する両側縁部に設けているものの、本発明によると、フード部１４の内壁において内側に開口するあり溝状に形成してもよい。
【００４３】
（３）本実施形態では、ムービングプレート４０側に突部４８Ａを設け、フード部１４側に突部４８Ａと係止可能な係止縁部２１を設けているものの、本発明によると、ムービングプレート４０側に係止縁部を設け、フード部１４側に前記係止縁部と係止可能な突部を設けてもよい。
【００４４】
（４）本実施形態では、規制突部４８が係止縁部２１に係止可能な傾斜面を有しているものの、本発明によると、壁部４３Ａの外面に平行に延びるようにして規制突部４８を形成してもよい。
【００４５】
（５）本実施形態では、一対の突部４８Ａからなる規制突部４８としているものの、本発明によると、単一の突部４８Ａからなる規制突部４８としてもよい。
【００４６】
（６）本実施形態では、両突部４８Ａが軸線Ｃを基準として非対称となるように配置されているものの、本発明によると、両突部４８Ａを軸線Ｃを基準として対称に配置してもよい。
【００４７】
（７）本実施形態では、導入溝４５の両側壁を利用して両突部４８Ａを設けているものの、本発明によると、導入溝４５とは別に、壁部４３Ａの外面から突出して両突部４８Ａを設けてもよい。
【図面の簡単な説明】
【００４８】
【図１】実施形態１におけるムービングプレートを雄側コネクタに組み付ける前の状態であって両コネクタの嵌合前の状態を示した側面図
【図２】ムービングプレートを雄側コネクタに対し初期位置に組み付けた状態であって両コネクタの嵌合前の状態を示した側面図
【図３】両コネクタの嵌合後の状態を示した側面図
【図４】ムービングプレートを雄側コネクタに対し初期位置に組み付けた状態であって両コネクタの嵌合前の状態を示した側断面図
【図５】初期位置においてフード内に雌側コネクタが正規に嵌合した状態を示した側断面図
【図６】雄側コネクタの正面図
【図７】雌側コネクタの正面図
【図８】ムービングプレートの斜視図
【図９】ムービングプレートの正面図
【図１０】ムービングプレートの側面図
【図１１】ムービングプレートの背面図
【図１２】雄側ハウジングの正面図
【図１３】係止縁部の拡大図
【図１４】両突部と両係止縁部が係止した状態を示した拡大図
【図１５】従来においてムービングプレートとフード部との間に隙間が形成される状態を示した図
【符号の説明】
【００４９】
１０…雄側コネクタ
２０…雄端子金具
２１…係止縁部（被係止部）
４０…ムービングプレート
４２…プレート本体部
４３…周壁部
４３Ａ…壁部
４５…導入溝
４７…位置決め孔
４８…規制突部（係止部）
４８Ａ…突部
６０…雄側コネクタ
Ｃ…軸線
【図１】
2010146932.tif 000003
【図２】
2010146932.tif 000004
【図３】
2010146932.tif 000005
【図４】
2010146932.tif 000006
【図５】
2010146932.tif 000007
【図６】
2010146932.tif 000008
【図７】
2010146932.tif 000009
【図８】
2010146932.tif 000010
【図９】
2010146932.tif 000011
【図１０】
2010146932.tif 000012
【図１１】
2010146932.tif 000013
【図１２】
2010146932.tif 000014
【図１３】
2010146932.tif 000015
【図１４】
2010146932.tif 000016
【図１５】
2010146932.tif 000017